(57)【要約】【課題】衣類乾燥機において、循環する温風の風量を確保して、乾燥効率を向上させる。【解決手段】乾燥室２８から、外筒２９との間に形成された空間２８ａに流出した空気を加熱して、前記乾燥室２８へと循環させる循環風通路３３と、前記循環風通路３３の外壁に冷却用の水を供給する水供給装置３５とを具備したものである。【選択図】　図１
2004121639.tif 000002
【特許請求の範囲】
【請求項１】
筐体と、前記筐体の内部に回転自在に設けた乾燥室と、前記乾燥室の外周との間に空間を設けて同乾燥室を内包する外筒と、前記乾燥室にヒータによって加熱された空気を送風する送風機と、前記乾燥室から前記空間に流出した空気を加熱して前記乾燥室へ循環させる循環風通路と、前記循環風通路の外壁に冷却用の水を供給する水供給装置とを具備した衣類乾燥機。
【請求項２】
筐体と、前記筐体の内部に回転自在に設けられ、略上方に洗濯物を投入する開口部を有するとともに、略垂直軸を中心に水平方向に回転する略円筒状に形成した内槽と、前記内槽の外周との間に空間を設けて同内槽を内包し、かつ、前記内筒と同心の略円筒状に形成した外槽と、前記外槽の下部に設けて前記内槽を回転させるモータと、前記モータの駆動を制御する制御部と、前記内槽にヒータによって加熱された空気を送風する送風機と、前記内槽から前記外槽との間の空間に流出した空気を加熱して前記内槽へ循環させる循環風通路と、前記循環風通路の外壁に冷却用の水を供給する水供給装置とを具備した衣類乾燥機。
【請求項３】
循環風通路の外側に外壁カバーを設け、前記外壁カバーと循環風通路の外壁との間に通路壁空間を形成し、前記通路壁空間に冷却用の水を供給する構成とした請求項２記載の衣類乾燥機。
【請求項４】
冷却用の水は循環風通路における外槽の上方付近から流れ出すようにした請求項２または３記載の衣類乾燥機。
【請求項５】
外壁カバーの外部を断熱材で覆う構成とした請求項２〜４のいずれか１項に記載の衣類乾燥機。
【請求項６】
複数の孔を有した水路を設け、前記孔から循環風通路の外壁に沿って水を流す構成とした請求項２〜５のいずれか１項に記載の衣類乾燥機。
【請求項７】
水路から流出した水を循環風通路の外壁面に沿って拡散させる水拡散装置を設けた請求項２〜６のいずれか１項に記載の衣類乾燥機。
【請求項８】
循環風通路の外壁に向けて外気を供給する冷却用送風機を設けた請求項２〜４、６または７のいずれか１項に記載の衣類乾燥機。
【発明の詳細な説明】
【０００１】
【発明の属する技術分野】
本発明は、乾燥室内に温風を送風して衣類等を乾燥させる衣類乾燥機、および、衣類等を洗濯した後、引き続き温風を送風して乾燥させる衣類乾燥機に関するものである。
【０００２】
【従来の技術】
従来、洗濯から乾燥まで一貫して実施できる洗濯乾燥機は、図８に示すような構成であった（例えば、特許文献１参照）。以下、その構成について説明する。図８に示すように、乾燥洗濯機の筐体１の内部に、外槽２をサスペンション機構３により筐体１から懸垂防振支持して設置している。外槽２の下方にはモータ４を設け、その回転軸は、中空で二軸構造となった洗濯・脱水軸５、および、洗濯時または脱水時によってモータ４の回転力の伝達を洗濯軸・脱水軸に切り換えるクラッチ６を介して、同じく外槽２の内部に設けた内槽７へと繋げている。
【０００３】
内槽７の上方には、流体バランサー８を設け、同じく内槽７の底部には攪拌翼９を設け、外槽２の下方には出口１０を設けている。乾燥のために温風を送風する温風送風機１１を筐体１の略上方に設け、発熱手段１２を温風送風機１１の吐出側に設け、筐体１の側壁には、外気を外槽２の外壁方向に向けて導入するように、冷却用送風機１３を設けている。外槽２の上部には、外槽カバー１４を設け、その中央部には開閉自在の中蓋１５を設けると共に、その外周部には温風吐出口１６を設けている。この温風吐出口１６と、発熱手段１２に続く温風通路１７の出口とは、伸縮自在の上部蛇腹ホース１８で連結されている。
【０００４】
外槽２の外部には温風送風機１１の吸入口に至る循環風通路１９を設け、その内部には冷却用の水を供給する水供給口２０を設けている。外槽２の下部に設けた出口１０と循環風通路１９とを伸縮自在の下部蛇腹ホース２１で連結し、循環風通路１９の下方部でバルブ２２を介して排水口２３へと繋げている。筐体１の上方には表示板２４を設け、同じく筐体１の内部には上記のモータ４の駆動等を制御する制御部２５を設けている。内槽７内には、乾燥洗濯用衣類２６を入れている。
【０００５】
温風送風機１１による送風気流は、温風送風機１１から送り出された後、発熱手段１２を通り、送風通路１７、上部蛇腹ホース１８、温風吐出口１６、内槽７内部、内槽７の周側壁に設けた多数の小孔（図示せず）、外槽２下部の出口１０、下部蛇腹ホース２１、循環風通路１９を経由して、再び、温風送風機１１へと戻り、循環する構成となっている。
【０００６】
上記構成の乾燥洗濯機について、次にその動作を説明する。まず、洗濯・すすぎ行程では、内槽７に衣類２６と水、若しくはお湯、そして洗剤等を投入し、伝達機構部のクラッチ６を洗濯軸側に設定して、モータ４の動力を洗濯軸を介して攪拌翼９に伝達し、前記攪拌翼９が回転することで、衣類２６を水中で回転させることにより進行して行く。
【０００７】
脱水は、洗濯・すすぎ行程終了後、内槽７内の水をバルブ２２を開いて排水した後、伝達機構部のクラッチ６を脱水軸側に切り換えて、モータ４の動力を脱水軸を介し内槽７を回転させ、衣類２６に遠心力を与えることによって、含まれる水分を衣類２６から分離することで進行していく。
【０００８】
乾燥は、脱水行程終了後、まず、攪拌翼９をゆっくりと回転させることにより、脱水時の遠心力により内槽７の内壁に張り付いた衣類２６を引き剥がした後、内槽７を低速で回転させたり、攪拌翼９を、瞬間的に左右の方向に強力に回転させて、衣類を内槽７内で上方に放り上げるように攪拌したりする。同時に、温風送風機１１により、発熱手段１２を通って暖められた温風を、内槽７内部に送り込んでいる。
【０００９】
この温風は、内槽７内にて衣類２６の水分をとり、外槽２及び、下部蛇腹ホース２１及び、循環風通路１９を通過する際に、冷却用水供給口２０から供給される水を細かく跳ね飛ばし、その夫々の水滴の表面で冷却されて除湿され、また、冷却用送風機１３により外部から導入された冷風により冷却されて除湿される。除湿された水分は、バルブ２２が開けられている状態で、排水口２３から外部に排出され、その後、気流は再び温風送風機１１に戻ることになる。これにより、乾燥が進行する。
【００１０】
【特許文献１】
特開平１１−２５３６８６号公報
【００１１】
【発明が解決しようとする課題】
上記従来の乾燥洗濯機では、冷却用送風機１３による送風で外槽２を冷却し、内部の湿気を帯びた温風を冷却して除湿する機構を用いていたが、冷却用送風機１３で冷却する対象が略円筒状の外槽２であることから、大量の風量を要すること、また、一つの冷却用送風機１３では冷却用送風機１３の設置位置の反対側の外槽２面の冷却が困難であること、また、循環風通路１９内にて冷却水が吹き飛ばされる冷却方式であるので、吹き飛ばされた水が循環風通路１９を通過する循環温風の圧損となり、温風の風量が低下して乾燥効率が低下するなどの課題を有していた。
【００１２】
本発明は、上記課題を解決するもので、循環温風の風量を確保して、乾燥効率を向上させることを目的としている。
【００１３】
【課題を解決するための手段】
上記目的を達成するために本発明は、乾燥室から流出した空気を加熱して前記乾燥室へ循環させる循環風通路の外壁に冷却用の水を供給するようにしたものである。
【００１４】
これにより、循環温風の風量を確保して、乾燥効率を向上させることができるものである。
【００１５】
【発明の実施の形態】
本発明の請求項１記載の発明は、筐体と、前記筐体の内部に回転自在に設けた乾燥室と、前記乾燥室の外周との間に空間を設けて同乾燥室を内包する外筒と、前記乾燥室にヒータによって加熱された空気を送風する送風機と、前記乾燥室から前記空間に流出した空気を加熱して前記乾燥室へ循環させる循環風通路と、前記循環風通路の外壁に冷却用の水を供給する水供給装置とを具備したものであり、乾燥室内に濡れた衣類等を投入し、乾燥室内にヒータ及び送風機により生成された乾き温風を吹き入れて、濡れた衣類から湿気を奪い、その後、この湿気を奪って湿った温風が循環路内を循環する過程で、循環路の外壁を流れる水により冷やされた循環風通路の内壁面に触れて冷却されることによって除湿され、効率の高い乾燥が可能となる。
【００１６】
請求項２に記載の発明は、筐体と、前記筐体の内部に回転自在に設けられ、略上方に洗濯物を投入する開口部を有するとともに、略垂直軸を中心に水平方向に回転する略円筒状に形成した内槽と、前記内槽の外周との間に空間を設けて同内槽を内包し、かつ、前記内筒と同心の略円筒状に形成した外槽と、前記外槽の下部に設けて前記内槽を回転させるモータと、前記モータの駆動を制御する制御部と、前記内槽にヒータによって加熱された空気を送風する送風機と、前記内槽から前記外槽との間の空間に流出した空気を加熱して前記内槽へ循環させる循環風通路と、前記循環風通路の外壁に冷却用の水を供給する水供給装置とを具備したものであり、乾燥室から出てきて循環する湿気を含んだ温風が循環風通路の外壁を通して冷却された内壁面に触れて冷却されて除湿される。これにより効率の高い乾燥を推進することが可能となる。
【００１７】
請求項３に記載の発明は、上記請求項２に記載した発明において、循環風通路の外側に外壁カバーを設け、前記外壁カバーと循環風通路の外壁との間に通路壁空間を形成し、前記通路壁空間に冷却用の水を供給する構成としたものであり、循環風通路を通過する湿気を帯びた温風の冷却効率の向上により、除湿効果を高めて乾燥効率を高くすることを可能としている。
【００１８】
請求項４に記載の発明は、上記請求項２または３に記載した発明において、冷却用の水は循環風通路における外槽の上方付近から流れ出すようにしたものであり、冷却水の影響を循環風通路の全体に及ぼすことが可能となり、循環風通路を通過する湿気を帯びた温風の冷却効率の向上により、除湿効果を高めて乾燥効率を高くすることを可能としている。
【００１９】
請求項５に記載の発明は、上記請求項２〜４に記載した発明において、外壁カバーの外部を断熱材で覆う構成としたものであり、二重壁内部の空間を流れる水は、循環風通路内部を流れる温風を冷却することのみに利用されることになり、循環風通路を通過する湿気を帯びた温風の冷却効率の向上により、除湿効果を高めて乾燥効率を高くすることを可能としている。
【００２０】
請求項６に記載の発明は、上記請求項２〜５に記載した発明において、複数の孔を有した水路を設け、前記孔から循環風通路の外壁に沿って水を流す構成としたものであり、必要と判断される所望の場所に集中的に水を流すことが可能となり、乾燥効率を高めた構成とすることが可能となっている。
【００２１】
請求項７に記載の発明では、上記請求項２〜６に記載した発明において、水路から流出した水を循環風通路の外壁面に沿って拡散させる水拡散装置を設けたものであり、循環風通路の外壁面全体に水が拡散して行き渡り、これにより冷却面が増大して冷却効果が高まり、除湿を進めることが可能となり、乾燥効率の高い構成としている。
【００２２】
請求項８に記載の発明では、上記請求項２〜４、６または７に記載した発明において、循環風通路の外壁に向けて外気を供給する冷却用送風機を設けたものであり、循環風通路の外壁面に水を流して循環風通路内部の温風を冷却する水冷方式の冷却構成に加えて、前記循環風通路の外壁表面には筐体外部から導いた空気を衝突させて、循環風通路の外壁面を流れる冷却用の水を冷却する空冷式の冷却構成を加えた構成となることから、冷却能力が大幅に向上するので除湿性能が進み、乾燥効率の高い構成となる。
【００２３】
【実施例】
以下、本発明の実施例について、図面を参照しながら説明する。
【００２４】
（実施例１）
図１において、筐体２７の内部にモータ（図示せず）によって駆動される回転自在な円筒上の乾燥室２８を設け、この乾燥室２８との間に空間２８ａを設けるとともに、乾燥室２８と同心円としてこれを内包する円筒状の外筒２９を設けてあり、乾燥室２８には全周に亘って多数の小孔３０を形成している。
【００２５】
３１はヒータ３２によって加熱された空気を乾燥室２８へ送風する送風機、３３は乾燥室２８の小孔３０から外筒２９との間の空間２８ａに流出した空気を加熱して前記乾燥室２８へと循環させる循環風通路、３４は循環風通路３３に設けた除湿機構、３５は柔軟性を有したホース３６を介して循環風通路３３の外壁面に冷却用の水を供給する水供給装置、３７は循環風通路３３に設けた送風機３１によって加熱された温風を乾燥室２８の内部に向けて噴出する温風吹き出し口である。なお、図示はしていないが、乾燥室２８の蓋、除湿水の排水口等を有した構成としている。
【００２６】
次に、上記の構成による本実施例の衣類乾燥機での動作を説明する。乾燥室２８の内部に乾燥させる衣類（図示せず）を投入して乾燥室２８を回転しつつ、送風機３１により発生させた送風気流を循環風通路３３、ヒータ３２を通過させて温風として、温風吹き出し口３７から乾燥室２８内へと吹き込ませる。その後、衣類から湿気を奪った温風は、湿気を帯びた状態で乾燥室２８の壁面に設けた小孔３０を経て、外筒２９内部へと流出する。
【００２７】
空間２８ａに流出した空気は循環風通路３３へと流れていくが、この循環風通路３３の外壁には、水供給装置３５からホース３６を介して冷却水が流れているので、循環風通路３３の内部を流れる湿った温風は冷やされて除湿されることになる。冷却されて除湿された温風は再び送風機３１に戻る。これを繰り返して乾燥が進行するのである。尚、図示はしていないが、循環風通路３３の外壁を流れた冷却水は、受け皿を介すなりして、除湿水とともに排出するなどして、筺体２７の外部へと排水されることになる。
【００２８】
このように湿気を含んだ温風は、循環風通路３３の内部を通過する過程で、循環風通路３３の外壁に流れる水により冷却されて効率よく除湿されることから、乾燥効率の高い乾燥機を実現することができる。
【００２９】
（実施例２）
図２において、筐体３８は、外槽３９を複数のサスペンション機構４０により懸垂防振支持し、外槽３９の下方にはモータ（駆動手段）４１を設け、中空で二軸構造となった洗濯・脱水軸４２、および、洗濯または脱水時によって回転力の伝達を洗濯・脱水軸４２に切り換えるクラッチ４３を介して、外槽３９の内部に回転自在に設けた内槽４４に連結している。
【００３０】
内槽４４の外周壁面には多数の小孔４５を設け、上方には流体バランサー４６を設け、底部には攪拌翼４７を回転自在に洗濯・脱水軸４２に接続している。送風機（温風送風手段）４８を筐体３８の上方に位置させ、その吐出側にはヒータ４９を設けて、乾燥のための温風を送風出来るようにしている。外槽３９と内槽４４の間には空間５０が設けられ、筐体３８の側面には、外部から筐体３８の内部に冷風を導入する冷却用送風機５１を取り付けている。
【００３１】
外槽３９の上面には外槽カバー５２を設け、この外槽カバー５２の略中心部には開閉自在な中蓋５２を設けている。外槽カバー５２には温風吐出口５３を設け、内槽４４内へ温風（循環風）を吐出させるようにしている。温風吐出口５３とヒータ４９とは、略垂直方向に伸縮自在の蛇腹ホース５４により連結している。
【００３２】
外槽３９の下部には、温風、洗濯水、および除湿水の出口５５を設け、下蛇腹ホース５６、排水弁５７を介して、排水口５８へと繋がり、排水弁５７の方向とは別に、一方では循環風通路５９へと繋がっており、この循環風通路５９の外側に外壁カバー６０を設け、前記外壁カバー６０と循環風通路５９の外壁との間に通路壁空間６１を形成してあり、水供給装置（図示せず）により、この通路壁空間６１に冷却用の水を供給し、循環風通路５９の外壁に沿って水が流れるように構成している。他に温度センサ６３、表示部６４、制御部６５、給水弁を含む給水部６６等を設けている。６７は冷却水を示している。
【００３３】
制御部６５は、マイクロコンピュータを具備しており、モータ４１、排水弁５７、送風機４８、ヒータ４９、冷却用送風機５１等の動作を制御し、洗濯、すすぎ、脱水、乾燥の各行程を逐次実行するように構成している。
【００３４】
次に、上記構成における動作を説明する。まず、洗濯・すすぎ行程では、表示部６４に従い、制御部６５の制御により、排水弁５７を閉じた状態で、内槽４４内に衣類６８と洗剤を投入し、給水部６６により水または湯を給水し、伝達機構部のクラッチ４３の切り換えにより、モータ４１の動力を洗濯・脱水軸４２を介して、内槽４４または攪拌翼４７に伝達し、内槽４４または攪拌翼４７を回転させることで、衣類６８に洗剤を含む水分を通過させたり、また、衣類６８を洗剤を含む水中で攪拌させて洗濯・すすぎを実行する。
【００３５】
脱水行程では、洗濯・すすぎ行程終了後、内槽４４内の水を制御部６５の制御により、排水弁５７を開いて排水口５８から外部へ排水した後、伝達機構部のクラッチ４３を脱水側に切り換えて、モータ４１の動力を洗濯・脱水軸４２を介し内槽４４に伝達して徐々に回転を上げて、衣類６８に遠心力を与えることにより水分を分離し、排水弁５７、排水口５８を通過させて外部へ排水する。
【００３６】
乾燥行程では、同様に制御部６５の制御により、まず、排水弁５７を閉じた上、攪拌翼４７をゆっくり正逆に回転させることにより、脱水行程時に於ける内槽４４の回転による遠心力で、内槽４４の内壁に張り付いた衣類６８を引き剥がしてほぐした後、内槽４４を回転させたり、回転翼４７を正逆に回転させたりしつつ、送風機４８とヒータ４９による温風を温風吐出口５３から内槽４４の内部に送って衣類６８に衝突させる。
【００３７】
そして、温風は、衣類６８のから湿気を奪って湿気を帯びた温風となった後、内槽４４の周壁面に設けた小孔４５を通過し、外槽３９と内槽４４の間の空間５０へと流れこみ、その後、出口５５から循環風通路５９へと流れていく。このとき、循環風通路５９の通路壁空間６１内部には、制御部６５の制御による冷却水６７が流れて冷やされており、この循環風通路５９の内壁面に湿気を含む温風が接することになる。これにより湿気を含む温風は冷却されて内部に含む水分が温風から分離されることとなり、この分離された水分は循環風通路５９の内壁に沿って下方へ流れることになる。
【００３８】
この後、水分は排水弁５７の方に流れ、適宜排水弁５７を開けて排水口５８から排水される。一方、除湿された温風は循環風通路５９を通って再び送風機４８へと戻り、循環する。これにより乾燥が進み、温度センサ６３などの働きによって乾燥を検知して乾燥を終了する。
【００３９】
このように、本実施例の乾燥洗濯機によれば、衣類６８から湿気を奪った後の湿気を含んだ温風が、外壁が冷却された循環風通路５９に接して冷却されて水分を分離するので、効率よく除湿が出来ることになり、乾燥効率を高めることとなる。
【００４０】
（実施例３）
図３において、水供給装置の冷却水供給通路６９は循環風通路５９における、外槽３９の上端面に位置する高さに位置させた構成としている。他の構成は上記実施例２と同じである。
【００４１】
本構成による動作を説明する。基本の動作は、実施例２と同様であるのでここでは本実施例に特徴的な内容についてのみ記す。即ち、上記の構成によれば、冷却用水６７は循環風通路５９の上端から供給されるので、循環風通路５９の上端から下端までのほぼ全路をつたう事になり、湿気を帯びた温風は長い時間に渡って冷却されることになり、多くの水分が除湿されて、乾燥が進み、全体として乾燥効率の高い乾燥洗濯機とすることが可能となっている。
【００４２】
（実施例４）
図４において、循環風通路５９の外側に設けた筒状の外壁カバー６０の外面に、断熱材７０を全周に渡って巻きつけて覆う構成としたものである。他の構成は上記実施例２と同じである。
【００４３】
本構成による動作を説明する。基本の動作は、実施例２と同様であるのでここでは本実施例に特徴的な内容についてのみ記す。即ち、上記の構成によれば、循環風通路５９の外壁カバー６０は断熱材７０で覆われているので、循環風通路５９の外壁カバー６０の内側を流れる冷却水は、循環風通路５９の内部を流れる湿気を帯びた温風を冷却することにのみ使われることになる。これゆえ、循環風通路５９を流れる湿気を帯びた温風は効率よく冷却されて、全体として乾燥効率を高めることが可能となるのである。
【００４４】
（実施例５）
図５において、冷却水供給通路７１に多数の小孔７２が開けられた構成としている。他の構成は上記実施例２と同じである。
【００４５】
上記の構成による動作についても、実施例２とほぼ同等であるので、ここでは特徴的なことについてのみ述べることにする。即ち、図５に示すように、小孔７２から冷却用水６７が下方に流れ出して循環風通路５９の外壁を冷却するので、循環風通路５９の内部を流れる湿気を含んだ温風は、循環風通路５９の内壁に触れることで冷却されて除湿されるのであるが、このとき、必要な場所に小孔７２を集中する、例えばより温風の流れが偏っている壁面などに水を集中して流すなど、設計時に効率を上げた乾燥機とするのに有利な構成とすることが可能となっている。
【００４６】
（実施例６）
図６において、冷却水７３が循環風通路５９の外壁へと流れ出したところに、循環風通路５９の外壁面に沿って拡散させる拡散板（水拡散装置）７４を設け、循環風通路５９の外壁全体に冷却水が広がって流れる構成としたものである。他の構成は実施例２と同じである。
【００４７】
上記の構成による動作についても、実施例２とほぼ同等であるので、ここでは特徴的なことについてのみ述べることにする。即ち、図６に示すように、冷却水７３は拡散板７４により作られる隙間７５による毛細管現象で広げられて、循環風通路５９の壁全体に薄く広がった状態で流れることになる。これにより、循環風通路５９全体の広い範囲を冷却水により冷却することができ、湿気を含んだ温風の除湿が効率よく進み、乾燥効率の高い乾燥洗濯機とすることが可能となっている。
【００４８】
（実施例７）
図７において、冷却用送風機７６は冷却水の流れる循環風通路５９に対向する位置に設置した構成としている。他の構成は実施例２と同じである。
【００４９】
上記の構成による動作についても、実施例２とほぼ同等であるので、ここでは特徴的な内容についてのみ述べることにする。即ち、図７に示すように、循環風通路５９の外壁は冷却水６７により冷却され、その内部では温風と接して除湿が進み、そのため、冷却水の温度が上昇することになる。ここで、冷却用送風機７６で循環風通路５９の外壁カバー６０に冷却風を当てることにより、除湿で温度が上昇している冷却水を再び冷却して温度を下げることになる。これにより循環風通路５９の外壁を流れる冷却水の温度の上昇は食い止められて、除湿が効率よく進むことになる。これにより、乾燥効率が向上した乾燥洗濯機とすることができる。
【００５０】
【発明の効果】
以上のように本発明の請求項１に記載の発明によれば、筐体と、前記筐体の内部に回転自在に設けた乾燥室と、前記乾燥室の外周との間に空間を設けて同乾燥室を内包する外筒と、前記乾燥室にヒータによって加熱された空気を送風する送風機と、前記乾燥室から前記空間に流出した空気を加熱して前記乾燥室へ循環させる循環風通路と、前記循環風通路の外壁に冷却用の水を供給する水供給装置とを具備したから、循環風通路を循環する湿気を含んだ温風の除湿能力を高めることが出来、循環温風の風量を確保して、乾燥効率を高めることができる。
【００５１】
また、請求項２に記載の発明によれば、筐体と、前記筐体の内部に回転自在に設けられ、略上方に洗濯物を投入する開口部を有するとともに、略垂直軸を中心に水平方向に回転する略円筒状に形成した内槽と、前記内槽の外周との間に空間を設けて同内槽を内包し、かつ、前記内筒と同心の略円筒状に形成した外槽と、前記外槽の下部に設けて前記内槽を回転させるモータと、前記モータの駆動を制御する制御部と、前記内槽にヒータによって加熱された空気を送風する送風機と、前記内槽から前記外槽との間の空間に流出した空気を加熱して前記内槽へ循環させる循環風通路と、前記循環風通路の外壁に冷却用の水を供給する水供給装置とを具備したから、循環風通路を循環する湿気を含んだ温風の除湿能力を高めることが出来、循環温風の風量を確保して、乾燥効率を高めることができる。
【００５２】
また、請求項３に記載の発明によれば、循環風通路の外側に外壁カバーを設け、前記外壁カバーと循環風通路の外壁との間に通路壁空間を形成し、前記通路壁空間に冷却用の水を供給する構成としたから、循環風通路を通過する湿気を帯びた温風の冷却効率よくして除湿効果を高めることができる。
【００５３】
また、請求項４に記載の発明によれば、冷却用の水は循環風通路における外槽の上方付近から流れ出すようにしたから、循環風通路のほぼ全体に渡って冷却することができ、除湿効果を高めることができる。
【００５４】
また、請求項５に記載の発明によれば、外壁カバーの外部を断熱材で覆う構成としたから、循環風通路を流れる温風の冷却に、冷却水を効率よく使用することができ、除湿効果を高めることができる。
【００５５】
また、請求項６に記載の発明によれば、複数の孔を有した水路を設け、前記孔から循環風通路の外壁に沿って水を流す構成としたから、小孔の配置が自在となり、最適な位置に水を流して除湿効果を高めることができる。
【００５６】
また、請求項７に記載の発明によれば、水路から流出した水を循環風通路の外壁面に沿って拡散させる水拡散装置を設けたから、循環風通路の外壁全体の広い範囲を効率よく冷却することができる。
【００５７】
また、請求項８に記載の発明によれば、循環風通路の外壁に向けて外気を供給する冷却用送風機を設けたから、循環風通路を通過して温度が上昇した冷却水を空冷により冷却することができ、循環風通路を通過する湿気を帯びた温風の冷却効率をよくして、除湿効果を高めることができる。
【図面の簡単な説明】
【図１】本発明の実施例１の衣類乾燥機の斜視図
【図２】本発明の実施例２の衣類乾燥機の断面図
【図３】本発明の実施例３の衣類乾燥機の断面図
【図４】本発明の実施例４の衣類乾燥機の断面図
【図５】本発明の実施例５の衣類乾燥機の要部斜視図
【図６】本発明の実施例６の衣類乾燥機の要部断面図
【図７】本発明の実施例７の衣類乾燥機の断面図
【図８】従来の乾燥洗濯機の断面図
【符号の説明】
２７　筐体
２８　乾燥室
２８ａ　空間
２９　外筒
３２　ヒータ
３１　送風機
３３　循環風通路
３５　水供給装置
【図１】
2004121639.tif 000003
【図２】
2004121639.tif 000004
【図３】
2004121639.tif 000005
【図４】
2004121639.tif 000006
【図５】
2004121639.tif 000007
【図６】
2004121639.tif 000008
【図７】
2004121639.tif 000009
【図８】
2004121639.tif 000010